(57)【要約】【課題】簡単な構成であるにもかかわらず、観賞用植物に自然界の審美的価値を容易に付与することが可能な装飾体１を提供する。【解決手段】観賞用植物２に取り付けられる装飾体１であって、現物の昆虫と同等の二次元的形状又は三次元的形状と模様と色彩とを有する模擬昆虫体１０と、一方の端部１１ａが前記模擬昆虫体１０の胴体１０ａの下面に接続され、他方の端部１１ｂが前記観賞用植物２の収納容器２０又は観賞用植物２の一部に取り付けられることで、当該模擬昆虫体１０を前記観賞用植物２の表面近傍に配置する細長い線材１１とを備えることを特徴とする。【選択図】図１
2015116783.tif 000002
【特許請求の範囲】
【請求項１】
観賞用植物に取り付けられる装飾体であって、
現物の昆虫と同等の二次元的形状又は三次元的形状と模様と色彩とを有する模擬昆虫体と、
一方の端部が前記模擬昆虫体の胴体の下面に接続され、他方の端部が前記観賞用植物の収納容器又は前記観賞用植物の一部に取り付けられることで、当該模擬昆虫体を前記観賞用植物の表面近傍に配置する細長い線材と
を備えることを特徴とする装飾体。
【発明の詳細な説明】
【技術分野】
【０００１】
本発明は、装飾体に関し、詳しくは、簡単な構成であるにもかかわらず、観賞用植物に自然界の審美的価値を容易に付与することが可能な装飾体に関する。
【背景技術】
【０００２】
従来より、観賞用植物に対して装飾体を付加する技術は多数存在する。例えば、実用新案登録第３１８０７４７号公報（特許文献１）には、植物の葉等に取り付けるための取付部を備えるシート状の本体部と、前記本体部から上方に斜傾するシート状の揺動装飾部とが一体的に形成されてなることを特徴とする植物等の装飾体が開示されている。これにより、装飾体を植物の葉等に取り付けることが出来るとともに、対象植物が限定されることはなく、又、葉に取り付けた場合でも、全体がシート状で形成されるため、非常に軽量であり、葉に負担を与えることはないとしている。又、流れる風や震動により、本装飾体が揺らいて看取され、興趣性を高め、更に、簡単な構成で形成されているので、容易かつ安価に製造することができるとしている。
【０００３】
又、実用新案登録第３０５８４７９号公報（特許文献２）には、空中を飛翔する小動物の模擬品と、この模擬小動物を着脱可能に支持する支持部とを有し、模擬小動物に形成した掛止部と係合して模擬小動物を支持する係合部が支持部に形成される装飾用置物が開示されている。この装飾用置物は、模擬小動物が掛止部を介して支持部に自然な状態に係合保持されるとともに、掛止部を支点として任意の方向に揺動可能に構成されている。これにより、あたかもトンボの如き小動物が止まって羽根を休めているような状態を形づくるとともに、若干の空気の流れなどがあれば、トンボがそよ風に揺られているような雰囲気をかもし出すことができるとしている。
【先行技術文献】
【特許文献】
【０００４】
【特許文献１】実用新案登録第３１８０７４７号公報
【特許文献２】実用新案登録第３０５８４７９号公報
【発明の概要】
【発明が解決しようとする課題】
【０００５】
しかしながら、特許文献１、２に記載の技術では、装飾体又は模擬品が人工的過ぎてリアル感が出ず、違和感があり、観賞用植物に対して装飾体又は模擬品の親和性が不十分であり、自然界の審美的価値を十分に付与することが出来ていないという問題がある。
【０００６】
そこで、本発明は、前記問題を解決するためになされたものであり、簡単な構成であるにもかかわらず、観賞用植物に自然界の審美的価値を容易に付与することが可能な装飾体を提供することを目的とする。
【課題を解決するための手段】
【０００７】
本発明者は、鋭意研究を重ねた結果、本発明に係る新規な装飾体を完成させた。即ち、本発明に係る装飾体は、観賞用植物に取り付けられる装飾体であって、以下の構成を採用する。
【０００８】
本発明は、現物の昆虫と同等の二次元的形状又は三次元的形状と模様と色彩とを有する模擬昆虫体と、一方の端部が前記模擬昆虫体の胴体の下面に接続され、他方の端部が前記観賞用植物の収納容器又は前記観賞用植物の一部に取り付けられることで、当該模擬昆虫体を前記観賞用植物の表面近傍に配置する細長い線材とを備えることを特徴とする。
【発明の効果】
【０００９】
本発明に係る装飾体によれば、簡単な構成であるにもかかわらず、観賞用植物に自然界の審美的価値を容易に付与することが可能となる。
【図面の簡単な説明】
【００１０】
【図１】本発明に係る装飾体の概要図（図１Ａ）と、本発明に係る装飾体を観賞用植物に適用した場合の概要図（図１Ｂ）とである。
【図２】本発明に係る装飾体を観賞用植物に適用した場合の拡大写真（図２Ａ）と、本発明に係る装飾体を観賞用植物に適用した場合の全体構成写真（図２Ｂ）とである。
【図３】本発明に係る装飾体を観賞用植物の花に適用した場合の拡大写真（図３Ａ）と、本発明に係る装飾体を観賞用植物の実に適用した場合の拡大写真（図３Ｂ）とである。
【図４】本発明に係る装飾体を観賞用植物の花瓶に適用した場合の全体構成写真（図４Ａ）と、本発明に係る装飾体を観賞用植物の花に適用した場合の全体構成写真（図４Ｂ）とである。
【図５】本発明に係る装飾体の他の実施形態を示す概要図である。
【発明を実施するための形態】
【００１１】
以下に、添付図面を参照して、本発明に係る装飾体の実施形態について説明し、本発明の理解に供する。尚、以下の実施形態は、本発明を具体化した一例であって、本発明の技術的範囲を限定する性格のものではない。
【００１２】
＜装飾体＞
本発明に係る装飾体は、図１Ａ、図１Ｂに示すように、観賞用植物２に取り付けられる装飾体１であって、現物の昆虫と同等の二次元的形状又は三次元的形状と模様と色彩とを有する模擬昆虫体１０と、一方の端部１１ａが前記模擬昆虫体１０の胴体１０ａの下面に接続され、他方の端部１１ｂが前記観賞用植物２の収納容器２０（例えば、植木鉢）又は前記観賞用植物２の一部（例えば、葉、花、実等）に取り付けられることで、当該模擬昆虫体１０を前記観賞用植物２の表面近傍に配置する細長い線材１１とを備えることを特徴とする。これにより、簡単な構成であるにもかかわらず、観賞用植物に自然界の審美的価値を容易に付与することが可能となる。
【００１３】
即ち、本発明では、模擬昆虫体１０を現物の昆虫と同等の形状、模様、色彩としているため、これを観賞用植物２の表面近傍に配置すると、自然界においてあたかも生きている昆虫が観賞用植物２の花や葉に止まっているか漂っているような自然界の審美観を醸し出すことになる。又、細長い線材１１の一方の端部１１ａを模擬昆虫体１０の胴体１０ａの下面に接続することで、模擬昆虫体１０を線材１１により配置しているため、ユーザーは、一見して当該線材１１の存在を確認することが出来ない。そのため、この装飾体１を有する観賞用植物２を見たユーザーは、全体として、自然界の審美観を味わうことが可能となる。又、模擬昆虫体１０は人工物を醸し出す構成でなく、本物そっくりに構成されているから、ユーザーは、鑑賞に飽きることなく、長期間、装飾体１と観賞用植物２とから生じる両者の躍動感、自然感を楽しむことが可能となる。
【００１４】
特に、自然界において植物と昆虫とは切っても切れない関係であり、昆虫がいない植物では、自然界の美しさに欠け、真の自然美を感じることは出来ず、鑑賞に飽きる可能性が高い。本発明では、模擬昆虫体１０を故意に生きた現物の昆虫と同等に仕上げて、観賞用植物２に自然に近い形で配置することで、植物と昆虫との視覚的な相乗効果により自然界の審美観をリアルに生じさせることが出来るのである。
【００１５】
又、模擬昆虫体１０の配置は、線材１１の他方の端部１１ｂの取付位置を、観賞用植物２の植木鉢２０（土壌２０ａ）や観賞用植物２の花、葉、実に簡単に変えることが出来るから、模擬昆虫体１０に飽きることなく、長期的に観賞用植物２に使用することが可能となる。
【００１６】
更に、本発明では、模擬昆虫体１０と線材１１とで構成されるため、極めて簡単な構成であり、安価に製造することが可能で、観賞用植物２の付属商品として好適である。
【００１７】
例えば、模擬昆虫体１０を蝶々の模擬昆虫体とし、布、紙を用いて、蝶々の羽を現物の蝶々の羽の形状、模様、色彩となるように切断したり色塗りしたりし、発泡スチロール等の部材を用いて、蝶々の胴体１０ａを現物の蝶々の胴体の形状、模様、色彩となるように組み立てたり黒で塗ったりして、模擬昆虫体１０の形状、模様、色彩を現物の蝶々と同等に作成した。又、線材１１を直径が１ｍｍの針金として模擬昆虫体１０の胴体１０ａの下面に接着剤で接続し、本発明の装飾体１を作成した。そして、本発明の装飾体１を、家庭用の観賞用植物２の植木鉢２０（土壌２０ａ）に取り付けると（設置すると）、図２Ａ、図２Ｂに示すように、装飾体１の模擬昆虫体１０が現物の昆虫とそっくりであるため、一見すると、生きている昆虫が観賞用植物２の表面近傍に漂っているように見えて、自然界の審美観を醸し出していることが確認できる。
【００１８】
又、本発明の装飾体１の線材１１の他方の端部１１ｂを、家庭用の観賞用植物２の花又は実に取り付けると、図３Ａ、図３Ｂに示すように、この場合であっても、装飾体１０が観賞用植物２と調和して、自然界の審美観を醸し出していることが確認できる。
【００１９】
又、本発明の装飾体１の線材１１の他方の端部１１ｂを、家庭用の観賞用植物２の花瓶や花の中心に取り付けると、図４Ａ、図４Ｂに示すように、この場合であっても、同様に、装飾体１０が観賞用植物２と調和して、自然界の審美観を醸し出していることが確認できる。このように、本発明の装飾体１は、観賞用植物２に対して自然界の審美観を生じさせるのに好適である。
【００２０】
尚、模擬昆虫体１０が、現物の昆虫と同等の二次元的形状又は三次元的形状と模様と色彩とを有するとは、模擬昆虫体１０が、現物の昆虫と同一又は類似する二次元的形状又は三次元的形状を有し、現物の昆虫と同一又は類似する模様を有し、現物の昆虫と同一又は類似する色彩を有することを意味する。そのため、模擬昆虫体１０は、現物の昆虫と実質的に同一視することが出来る。
【００２１】
ここで、模擬昆虫体１０が模擬する現物の昆虫は、植物の周辺に存在する昆虫であれば、本発明の目的を阻害しない限り、特に限定は無く、例えば、図１、図２、図３、図４に示すように、蝶々を採用したり、図５に示すように、天道虫、トンボ、カナブン、コガネムシ等を採用したりすることが出来る。その他に、例えば、蜂や虻等であっても構わない。
【００２２】
又、模擬昆虫体１０の材質は、現物の昆虫と同等の二次元的形状又は三次元的形状、模様、色彩を備えることが出来れば、本発明の目的を阻害しない限り、特に限定は無く、例えば、紙、布、プラスチック等を採用することが出来る。紙、布であれば、現物の昆虫と同等の二次元的形状で切り取られ、現物の昆虫と同等の模様及び色彩で処理される。又、プラスチックであれば、現物の昆虫と同等の二次元的形状で切り取られるか、３Ｄプリンタ等により現物の昆虫と同等の三次元的形状で作成され、現物の昆虫と同等の模様及び色彩で処理される。
【００２３】
模擬昆虫体１０の形状は、三次元的形状であれば、現物の昆虫とそっくりになるため、自然界の審美観を顕著に醸し出すが、図２に示すように、基本的形状が二次元的形状である蝶々の場合は、模擬昆虫体１０の形状を二次元的形状としても、現物の昆虫に顕著に類似するため、自然界の審美観を十分に醸し出すことが出来る。
【００２４】
又、模擬昆虫体１０の形態は、本発明の目的を阻害しない限り、特に限定は無く、例えば、図１、図２に示すように、模擬昆虫体１０が空中を飛んでいる形態でも、模擬昆虫体１０が観賞用植物２の花や葉の表面に止まっている形態でも構わない。
【００２５】
又、模擬昆虫体１０に対する線材１１の一方の端部１１ａの接続位置は、線材１１の存在が目立たない位置であれば、本発明の目的を阻害しない限り、特に限定は無く、例えば、図１Ａに示すように、模擬昆虫体１０の胴体１０ａの中央の下面位置でも、胴体１０ａの頭部側の下面位置でも、胴体１０ａの後尾部側の下面位置でも構わない。
【００２６】
又、模擬昆虫体１０の胴体１０ａの下面と線材１１の一方の端部１１ａとの接続形態は、本発明の目的を阻害しない限り、特に限定は無く、接着剤や磁石等の接続手段による接続でも、模擬昆虫体１０と線材１１との一体成形による接続でも構わない。
【００２７】
又、観賞用植物２の収納容器２０又は観賞用植物２の一部に対する線材１１の他方の端部１１ｂの取付位置は、模擬昆虫体１０を観賞用植物２の表面近傍に配置する位置であれば、本発明の目的を阻害しない限り、特に限定は無く、例えば、図１、図２に示すように、観賞用植物２の茎の根元近傍の位置でも、観賞用植物２の花や葉の直下の土壌２０ａ位置でも、図３、図４に示すように、観賞用植物２の花、葉、実の位置でも、花瓶に入れても構わない。この際、線材１１の長さは、適宜設計変更される。
【００２８】
又、線材１１の他方の端部１１ｂの取付形態は、本発明の目的を阻害しない限り、特に限定は無く、例えば、図１、図２に示すように、植木鉢２０の土壌２０ａに差し込む形態でも、図３、図４に示すように、観賞用植物２の花、葉、実に差し込む形態でも、花瓶に差し込む形態でも、他方の端部１１ｂを渦巻き状、円状、三角状、四角状、多角状に形成して、土壌２０ａ等の平面位置に載置する形態でも構わない。
【００２９】
又、線材１１の形状は、細長い形状であれば、本発明の目的を阻害しない限り、特に限定は無く、例えば、直径が１ｍｍ以下の線材を採用することが出来る。又、線材１１の材質は、本発明の目的を阻害しない限り、特に限定は無く、例えば、金属線材、合成樹脂線材（例えば、透明性アクリル系合成樹脂線材）、ガラス線材、チューブ材、パイプ材等を採用することが出来る。
【００３０】
又、線材１１の色は、本発明の目的を阻害しない限り、特に限定は無く、例えば、透明色、半透明色、緑色、茶色等の色を採用することが出来る。更に、線材１１をこのような細長い形状とすることで、例えば、風等が生じると、模擬昆虫体１０が風によりゆらゆらと動いて、あたかも生きているように振舞うため、更に、現実味を帯びて、自然界の審美観を醸し出すことが可能となる。
【００３１】
又、観賞用植物２の表面近傍とは、当該観賞用植物２の花や葉、実等の表面的に表われる部分の近傍又は当該部分の表面（上面）を意味する。例えば、図１、図２では、観賞用植物２の表面近傍は、当該観賞用植物２の葉の表面近傍を意味し、図３、図４では、当該観賞用植物２の花や実の表面近傍を意味している。
【００３２】
又、観賞用植物２の種類は、本発明の目的を阻害しない限り、特に限定は無く、図２に示すように、生きた観賞用植物、観葉植物、庭園の草木、花畑であっても、人工的に作成されたアートフラワー（造花）であっても構わない。アートフラワーは、例えば、紙、布、プラスチック、パン粉等により作成される。
【００３３】
又、収納容器２０の種類は、本発明の目的を阻害しない限り、特に限定は無く、図１、図２、図３に示すように、通常の植木鉢２０でも、籠や柵を備えた植木鉢でも、図４に示すように、花瓶でも構わない。又、収納容器が植木鉢２０である場合、土壌２０ａの種類も、同様に、本発明の目的を阻害しない限り、特に限定は無い。
【００３４】
又、観賞用植物２に対する装飾体１の数は、本発明の目的を阻害しない限り、特に限定は無く、図１、図２、図３、図４に示すように、一つの観賞用植物２に一つの装飾体１を取り付けても良いし、一つの観賞用植物２に複数の装飾体１（２つ以上の蝶々の装飾体１）を取り付けても構わない。ここで、複数の装飾体１を一つの観賞用植物２に取り付ける場合は、例えば、装飾体１の模擬昆虫体１０を蝶々として、各模擬昆虫体１０の羽の形態を、開いたり閉じたりする形態として、これらを一体として配置することで、一匹の蝶々があたかも観賞用植物２の表面近傍を飛び回っているようなモチーフを醸し出すように構成しても良い。これにより、更に、観賞用植物２と装飾体１とに飽きが来ずに、自然界の審美的価値を更に醸し出すことが可能となる。
【００３５】
このように、本発明では、現物の昆虫と同等の二次元的形状又は三次元的形状と模様と色彩とを有する模擬昆虫体１０と、一方の端部１１ａが前記模擬昆虫体１０の胴体１０ａの下面に接続され、他方の端部１１ｂが前記観賞用植物２の収納容器２０又は前記観賞用植物２の一部に取り付けられることで、当該模擬昆虫体１０を前記観賞用植物２の表面近傍に配置する細長い線材１１とを備えることを特徴とする。これにより、簡単な構成であるにもかかわらず、観賞用植物に自然界の審美的価値を容易に付与することが可能となる。
【産業上の利用可能性】
【００３６】
以上のように、本発明に係る装飾体は、アートフラワーや生花等の観賞用植物に有用であり、簡単な構成であるにもかかわらず、観賞用植物に自然界の審美的価値を容易に付与することが可能な装飾体として有効である。
【符号の説明】
【００３７】
１  装飾体
１０  模擬昆虫体
１１  線材
２  観賞用植物
２０  植木鉢
【図１】
2015116783.tif 000003
【図２】
2015116783.tif 000004
【図３】
2015116783.tif 000005
【図４】
2015116783.tif 000006
【図５】
2015116783.tif 000007